(57)【要約】【課題】  入口の流体を出入口とは別の外気に連通する排出口から排出する。【解決手段】  出口側環状弁座１２は弁ボール１０当接面から出口側部材５当接面まで貫通する貫通孔２４を有し、出口側部材５は一端が出口側環状弁座１２の貫通孔２４に他端が外気に連通する排出口２５を有する。弁ボール１０は、第１遮断状態において流通孔９と入口２を連通し第１遮断状態から弁ボール１０を１８０度回転操作した第２遮断状態において流通孔９と出口４を連通する第１通孔２６と、第１遮断状態において流通孔９と貫通孔２４を連通し第２遮断状態において入口側環状弁座１１で遮断される第２通孔２７と、を有する。【選択図】      図３
2005024089.tif 000002
【特許請求の範囲】
【請求項１】
ケーシングで入口と出口が連通する弁室を形成し、弁室内に流通孔を形成した弁ボールを配置し、弁ボールの入口側に入口側環状弁座を出口側に出口側環状弁座を配置し、ケーシングを気密的に貫通した弁軸で弁ボールを回転操作して入口と出口を連通あるいは遮断するボールバルブにおいて、出口側環状弁座に弁ボール当接面からケーシング当接面まで貫通する貫通孔を形成すると共にケーシングに一端が出口側環状弁座の貫通孔に他端が外気に連通する排出口を形成し、弁ボールに、弁ボールが入口と出口を遮断した第１遮断状態において流通孔と入口を連通し第１遮断状態から弁ボールを１８０度回転操作して弁ボールが入口と出口を遮断した第２遮断状態において流通孔と出口を連通する第１通孔と、第１遮断状態において流通孔と貫通孔を連通し第２遮断状態において入口側環状弁座で遮断される第２通孔と、を形成したことを特徴とするボールバルブ。
【請求項２】
ケーシングで入口と出口が連通する弁室を形成し、弁室内に流通孔を形成した弁ボールを配置し、弁ボールの入口側に入口側環状弁座を出口側に出口側環状弁座を配置し、ケーシングを気密的に貫通した弁軸で弁ボールを回転操作して入口と出口を連通あるいは遮断するボールバルブにおいて、入口側環状弁座に弁ボール当接面からケーシング当接面まで貫通する貫通孔を形成すると共にケーシングに一端が入口側環状弁座の貫通孔に他端が外気に連通する排出口を形成し、弁ボールに、弁ボールが入口と出口を遮断した第１遮断状態において流通孔と入口を連通し第１遮断状態から弁ボールを１８０度回転操作して弁ボールが入口と出口を遮断した第２遮断状態において流通孔と出口を連通する第１通孔と、第１遮断状態において流通孔と貫通孔を連通し第２遮断状態において出口側環状弁座で遮断される第２通孔と、を形成したことを特徴とするボールバルブ。
【発明の詳細な説明】
【技術分野】
【０００１】
本発明は、流体配管に取り付けて入口と出口を連通・遮断するボールバルブに関し、特に入口と出口とは別に外気に連通する排出口を設けて入口と排出口を連通・遮断できるようにしたものに関する。このボールバルブは、例えば蒸気は遮断し復水は自動的に排出するスチームトラップの二次側に取り付けて一次側のスチームトラップの排出状況を確認するために使用される。
【背景技術】
【０００２】
従来のボールバルブは、例えば実開昭５９−１８８３６０号公報に示されている。このボールバルブは、ケーシングで入口と出口が連通する弁室を形成し、弁室内に流通孔を形成した弁ボールを配置し、弁ボールの入口側に入口側環状弁座を出口側に出口側環状弁座を配置し、ケーシングを気密的に貫通した弁軸で弁ボールを回転操作して入口と出口を連通あるいは遮断するものである。
【０００３】
上記従来のボールバルブは、弁ボールを回転操作して入口と出口を連通・遮断するだけで、入口の流体を出入口とは別の外気に連通する排出口から排出する機能を有していなかった。そのため、例えば一次側に配置されるスチームトラップの排出状況を確認することができなかった。
【特許文献１】実開昭５９−１８８３６０号公報
【発明の開示】
【発明が解決しようとする課題】
【０００４】
従って、本発明の技術的課題は、入口の流体を出入口とは別の外気に連通する排出口から排出できるボールバルブを提供することである。
【課題を解決するための手段】
【０００５】
上記の技術的課題を解決するために講じた本発明の技術的手段は、ケーシングで入口と出口が連通する弁室を形成し、弁室内に流通孔を形成した弁ボールを配置し、弁ボールの入口側に入口側環状弁座を出口側に出口側環状弁座を配置し、ケーシングを気密的に貫通した弁軸で弁ボールを回転操作して入口と出口を連通あるいは遮断するボールバルブにおいて、出口側環状弁座に弁ボール当接面からケーシング当接面まで貫通する貫通孔を形成すると共にケーシングに一端が出口側環状弁座の貫通孔に他端が外気に連通する排出口を形成し、弁ボールに、弁ボールが入口と出口を遮断した第１遮断状態において流通孔と入口を連通し第１遮断状態から弁ボールを１８０度回転操作して弁ボールが入口と出口を遮断した第２遮断状態において流通孔と出口を連通する第１通孔と、第１遮断状態において流通孔と貫通孔を連通し第２遮断状態において入口側環状弁座で遮断される第２通孔と、を形成したことを特徴とするボールバルブにある。また、上記の技術的課題を解決するために講じた本発明の別の技術的手段は、ケーシングで入口と出口が連通する弁室を形成し、弁室内に流通孔を形成した弁ボールを配置し、弁ボールの入口側に入口側環状弁座を出口側に出口側環状弁座を配置し、ケーシングを気密的に貫通した弁軸で弁ボールを回転操作して入口と出口を連通あるいは遮断するボールバルブにおいて、入口側環状弁座に弁ボール当接面からケーシング当接面まで貫通する貫通孔を形成すると共にケーシングに一端が入口側環状弁座の貫通孔に他端が外気に連通する排出口を形成し、弁ボールに、弁ボールが入口と出口を遮断した第１遮断状態において流通孔と入口を連通し第１遮断状態から弁ボールを１８０度回転操作して弁ボールが入口と出口を遮断した第２遮断状態において流通孔と出口を連通する第１通孔と、第１遮断状態において流通孔と貫通孔を連通し第２遮断状態において出口側環状弁座で遮断される第２通孔と、を形成したことを特徴とするボールバルブにある。
【発明の効果】
【０００６】
本発明によれば、入口の流体を出入口とは別の外気に連通する排出口から排出できるという優れた効果を生じる。
【発明を実施するための最良の形態】
【０００７】
本発明のボールバルブは、出口側環状弁座に弁ボール当接面からケーシング当接面まで貫通する貫通孔を形成すると共にケーシングに一端が出口側環状弁座の貫通孔に他端が外気に連通する排出口を形成し、弁ボールに、弁ボールが入口と出口を遮断した第１遮断状態において流通孔と入口を連通し第１遮断状態から弁ボールを１８０度回転操作して弁ボールが入口と出口を遮断した第２遮断状態において流通孔と出口を連通する第１通孔と、第１遮断状態において流通孔と貫通孔を連通し第２遮断状態において入口側環状弁座で遮断される第２通孔と、を形成したものである。また、本発明のボールバルブは、入口側環状弁座に弁ボール当接面からケーシング当接面まで貫通する貫通孔を形成すると共にケーシングに一端が入口側環状弁座の貫通孔に他端が外気に連通する排出口を形成し、弁ボールに、弁ボールが入口と出口を遮断した第１遮断状態において流通孔と入口を連通し第１遮断状態から弁ボールを１８０度回転操作して弁ボールが入口と出口を遮断した第２遮断状態において流通孔と出口を連通する第１通孔と、第１遮断状態において流通孔と貫通孔を連通し第２遮断状態において出口側環状弁座で遮断される第２通孔と、を形成したものである。そのため、弁ボールを回転操作して入口と出口を遮断した第１遮断状態とすると、入口と排出口が第１通孔と流通孔と第２通孔と貫通孔を通して連通し、第１遮断状態から弁ボールを１８０度回転操作して第２遮断状態とすると、入口と出口と排出口が遮断される。そのため、入口の流体を出入口とは別の外気に連通する排出口から排出できる。
【実施例１】
【０００８】
上記の技術的手段の具体例を示す実施例を説明する（図１乃至図４参照）。本体１に入口２を有する入口側部材３と出口４を有する出口側部材５をボルト６とナット７で締結してケーシングを形成し、ケーシング内に入口２と出口４が連通する弁室８を形成する。
【０００９】
弁室８内に水平方向に一直線に流通孔９を形成した弁ボール１０を回転自在に配置する。弁ボール１０の入口２側に入口側環状弁座１１を配置し、弁ボール１０の出口４側に出口側環状弁座１２を配置する。弁ボール１０は上部に平行キー溝１３を有し、本体１を貫通する弁軸１４の下端のキー部が係合する。弁軸１４は本体１との気密をパッキング１５で保ち、ナット１６で本体１に固定する。参照番号１７、１８、１９、２０は座金、２１はパッキング押えである。弁軸１４に回転操作用のハンドル２２をナット２３で固定する。
【００１０】
出口側環状弁座１２は弁ボール１０当接面から出口側部材５当接面まで貫通する貫通孔２４を有し、出口側部材５は一端が出口側環状弁座１２の貫通孔２４に他端が外気に連通する排出口２５を有する。貫通孔２４は入口２と出口４の中心軸と平行に出口側環状弁座１２の下部に設けられている。弁ボール１０は、弁ボール１０が入口２と出口４を遮断した第１遮断状態において流通孔９と入口２を連通し第１遮断状態から弁ボール１０を１８０度回転操作して弁ボール１０が入口２と出口４を遮断した第２遮断状態において流通孔９と出口４を連通する第１通孔２６と、第１遮断状態において流通孔９と貫通孔２４を連通し第２遮断状態において入口側環状弁座１１で遮断される第２通孔２７と、を有する。第１通孔２６は水平方向に流通孔９に対して直角に設けられ、その中心軸は弁ボール１０の球心を通る。第２通孔２７は水平方向から４５度斜め下方に向けて設けられ、その中心軸は弁ボール１０の球心を通る。
【００１１】
図１及び図２は、弁ボール１０の流通孔９を通して入口２と出口４が連通した状態を示している。この連通状態からハンドル２２によって弁軸１４を反時計回り方向に９０度回転させて、図３に示すように弁ボール１０が入口２と出口４を遮断した第１遮断状態とすると、入口２と排出口２５が第１通孔２６と流通孔９と第２通孔２７と貫通孔２４を通して連通し、入口２の流体を入口２と出口４とは別の外気に連通する排出口２５から排出することができる。この第１遮断状態からハンドル２２によって弁軸１４を１８０度回転させて、図４に示すように第２遮断状態とすると、入口２と出口４と排出口２５が遮断される。
【実施例２】
【００１２】
上記の技術的手段の具体例を示す別の実施例を説明する（図５乃至図８参照）。本体５１に入口５２を有する入口側部材５３と出口５４を有する出口側部材５５をボルト５６とナット５７で締結してケーシングを形成し、ケーシング内に入口５２と出口５４が連通する弁室５８を形成する。
【００１３】
弁室５８内に水平方向に一直線に流通孔５９を形成した弁ボール６０を回転自在に配置する。弁ボール６０の入口５２側に入口側環状弁座６１を配置し、弁ボール６０の出口５４側に出口側環状弁座６２を配置する。弁ボール６０は上部に平行キー溝６３を有し、本体５１を貫通する弁軸６４の下端のキー部が係合する。弁軸６４は本体５１との気密をパッキング６５で保ち、ナット６６で本体５１に固定する。参照番号６７、６８、６９、７０は座金、７１はパッキング押えである。弁軸６４に回転操作用のハンドル７２をナット７３で固定する。
【００１４】
入口側環状弁座６１は弁ボール６０当接面から入口側部材５３当接面まで貫通する貫通孔７４を有し、入口側部材５３は一端が入口側環状弁座６１の貫通孔７４に他端が外気に連通する排出口７５を有する。貫通孔７４は入口５２と出口５４の中心軸と平行に入口側環状弁座６１の下部に設けられている。弁ボール６０は、弁ボール６０が入口５２と出口５４を遮断した第１遮断状態において流通孔５９と入口５２を連通し第１遮断状態から弁ボール６０を１８０度回転操作して弁ボール６０が入口５２と出口５４を遮断した第２遮断状態において流通孔５９と出口５４を連通する第１通孔７６と、第１遮断状態において流通孔５９と貫通孔７４を連通し第２遮断状態において出口側環状弁座６２で遮断される第２通孔７７と、を有する。第１通孔７６は水平方向に流通孔５９に対して直角に設けられ、その中心軸は弁ボール６０の球心を通る。第２通孔７７は水平方向から４５度斜め下方に向けて設けられ、その中心軸は弁ボール６０の球心を通る。
【００１５】
図５及び図６は、弁ボール６０の流通孔５９を通して入口５２と出口５４が連通した状態を示している。この連通状態からハンドル７２によって弁軸６４を反時計回り方向に９０度回転させて、図７に示すように弁ボール６０が入口５２と出口５４を遮断した第１遮断状態とすると、入口５２と排出口７５が第１通孔７６と流通孔５９と第２通孔７７と貫通孔７４を通して連通し、入口５２の流体を入口５２と出口５４とは別の外気に連通する排出口７５から排出することができる。この第１遮断状態からハンドル７２によって弁軸６４を１８０度回転させて、図８に示すように第２遮断状態とすると、入口５２と出口５４と排出口７５が遮断される。
【図面の簡単な説明】
【００１６】
【図１】本発明の実施例のボールバルブの横断面図
【図２】図１の中央横断面図
【図３】図１の弁ボールを反時計回り方向に９０度回転させて第１遮断状態とした時の図１の中央横断面図
【図４】図１の弁ボールを時計回り方向に９０度回転させて第２遮断状態とした時の図１の中央横断面図
【図５】本発明の別の実施例のボールバルブの横断面図
【図６】図５の中央横断面図
【図７】図５の弁ボールを反時計回り方向に９０度回転させて第１遮断状態とした時の図５の中央横断面図
【図８】図５の弁ボールを時計回り方向に９０度回転させて第２遮断状態とした時の図５の中央横断面図
【符号の説明】
【００１７】
１，５１  本体
２，５２  入口
３，５３  入口側部材
４，５４  出口
５，５５  出口側部材
８，５８  弁室
９，５９  流通孔
１０，６０  弁ボール
１１，６１  入口側環状弁座
１２，６２  出口側環状弁座
１４，６４  弁軸
１５，６５  パッキング
２４，７４  貫通孔
２５，７５  排出口
２６，７６  第１通孔
２７，７７  第２通孔
【図１】
2005024089.tif 000003
【図２】
2005024089.tif 000004
【図３】
2005024089.tif 000005
【図４】
2005024089.tif 000006
【図５】
2005024089.tif 000007
【図６】
2005024089.tif 000008
【図７】
2005024089.tif 000009
【図８】
2005024089.tif 000010